(57)【特許請求の範囲】
【請求項１】
２階建て以上のユニット建物の配管構造において、
下階建物ユニットの壁面から上階建物ユニットの壁面に沿って立上がるパイプシャフトを設け、該パイプシャフトの内部で上階建物ユニットの壁面に上階用ヘッダを取付け、この上階用ヘッダの流入口に接続される下階側からの立上管をパイプシャフトの内部に延設するとともに、この上階用ヘッダの複数の分岐口のそれぞれに接続された上階側への供給管をパイプシャフトの内部で下向きに延在させてから横向きに屈曲させて上階建物ユニットの内部に延設するものであり、
上階側への供給管が架橋ポリエチレン管からなるものにするとともに、パイプシャフトの内部で、上階用ヘッダの取付位置を、上階側への供給管の上記の屈曲位置よりも高い位置に設けてなることを特徴とするユニット建物の配管構造。
【請求項２】
前記パイプシャフトに該パイプシャフトの内部の配管を点検するための点検口が設けられてなる請求項１記載のユニット建物の配管構造。
【請求項３】
前記パイプシャフトが下階建物ユニットと上階建物ユニットの外壁面に沿って設けた屋外パイプシャフトである請求項１又は２記載のユニット建物の配管構造。
【発明の詳細な説明】
【０００１】
【発明の属する技術分野】
本発明は給水給湯配管等のユニット建物の配管構造に関する。
【０００２】
【従来の技術】
従来、２階建て以上のユニット建物において、下階側に設置される水道元栓や給湯機から、上階側へと給水、給湯するための配管構造として、特開平10-331271 号公報に記載の如く、下階建物ユニットの外壁面に下階用の給水ヘッダと給湯ヘッダを設け、これらのヘッダの分岐口に接続された給水管と給湯管を下階建物ユニットの壁面に沿って立上げた後、上階建物ユニットの床下に取付けた上階用の給水ヘッダと給湯ヘッダの流入口にそれらの給水管と給湯管を接続し、この上階用の給水ヘッダと給湯ヘッダの分岐口に接続される供給管を上階の給水給湯設備に配管することとしている。
【０００３】
従来技術では、下階側から立上げられる給水管や給湯管を上階建物ユニットの床下に取付けた上階用の給水ヘッダと給湯ヘッダを介して、上階の給水給湯設備に間接的に接続するものとなり、下階側から立上げられる給水管や給湯管をそれぞれ例えば唯１本に集約でき、配管本数を削減できる。
【０００４】
【発明が解決しようとする課題】
然しながら、従来技術には以下の問題点がある。
▲１▼上階用の給水ヘッダと給湯ヘッダが上階建物ユニットの床下に設置される。しかしながら、ユニット建物では、建物ユニットの輸送上の高さ制限下で下階天井高さを確保するため、床下深さは比較的浅く設定している。また、床下には床梁、根太等の構造物が複雑に入り込んでいる。このため、上階用の給水ヘッダや給湯ヘッダの設置スペースの確保に困難があり、設置性が悪い。
【０００５】
▲２▼下階側から立上げられる給水管と給湯管を下階建物ユニットの壁面〜上階建物ユニットの床下へと延設して上階用の給水ヘッダや給湯ヘッダに接続するものであり、配管経路の取り回しに困難があり、配管性が悪い。
【０００６】
▲３▼上階の給水給湯設備に配管される供給管のための給水ヘッダや給湯ヘッダを下階建物ユニットに設置する場合には、下階側から立上げられる供給管の本数が多数になり、それらの配管経路も長くなって、配管性が悪い。
【０００７】
本発明の課題は、２階建て以上のユニット建物で上階用ヘッダを装備するに際し、分岐継手の設置性と、ヘッダへの配管性を向上することにある。
【０００８】
【課題を解決するための手段】
請求項１に記載の本発明は、２階建て以上のユニット建物の配管構造において、下階建物ユニットの壁面から上階建物ユニットの壁面に沿って立上がるパイプシャフトを設け、該パイプシャフトの内部で上階建物ユニットの壁面に上階用ヘッダを取付け、この上階用ヘッダの流入口に接続される下階側からの立上管をパイプシャフトの内部に延設するとともに、この上階用ヘッダの複数の分岐口のそれぞれに接続された上階側への供給管をパイプシャフトの内部で下向きに延在させてから横向きに屈曲させて上階建物ユニットの内部に延設するものであり、上階側への供給管が架橋ポリエチレン管からなるものにするとともに、パイプシャフトの内部で、上階用ヘッダの取付位置を、上階側への供給管の上記の屈曲位置よりも高い位置に設けてなるようにしたものである。
【０００９】
請求項２に記載の発明は、請求項１に記載の発明において更に、前記パイプシャフトに該パイプシャフトの内部の配管を点検するための点検口が設けられてなるようにしたものである。
【００１０】
請求項３に記載の発明は、請求項１又は２に記載の発明において更に、前記パイプシャフトが下階建物ユニットと上階建物ユニットの外壁面に沿って設けた屋外パイプシャフトであるようにしたものである。
【００１１】
【作用】
請求項１の発明によれば下記▲１▼、▲２▼の作用がある。
▲１▼上階用ヘッダが下階建物ユニットの壁面から上階建物ユニットの壁面に沿って立上がるパイプシャフトの内部で、上階建物ユニットの壁面に取付けられる。パイプシャフトは、建物ユニットの床下や壁内に設けられるものでなく、壁面上に設けられるものであるから、上階用ヘッダの設置に必要十分な設置スペースを容易に確保でき、設置性を向上できる。
【００１２】
▲２▼下階側から上階用ヘッダの流入口に接続される立上管をパイプシャフトの内部に延設するものとしたから、上階用ヘッダへの配管経路の取り回しを単純化し、配管性を向上できる。また、下階側から上階側に立上げられる立上管の本数を集約でき、且つ配管経路も短くでき、配管性を向上できる。
【００１３】
請求項２の発明によれば下記▲３▼の作用がある。
▲３▼パイプシャフトの屋外空間又は屋内空間に臨んで設けられることとなる点検口を開けるだけで、上階用ヘッダ以下の配管類を点検でき、メンテナンス性を向上できる。
【００１４】
請求項３の発明によれば下記▲４▼の作用がある。
▲４▼屋外パイプシャフトの内部に上階用ヘッダ以下の配管類を設置することにより、上階用ヘッダからの漏水によっても屋内が濡れることを回避できる。
【００１５】
【発明の実施の形態】
図１はユニット建物を示す模式断面図、図２はユニット建物の要部を示す断面図、図３はパイプシャフトを示す拡大断面図、図４は図３のIV-IV 線に沿う側面図、図５はヘッダ取付構造を示す断面図、図６は図５のVI-VI 線に沿う平面図、図７はヘッダ取付工程を示し、（Ａ）は取付補強板を示す斜視図、（Ｂ）は取付補強板の取付状態を示す斜視図、（Ｃ）は穴位置台紙の使用状態を示す斜視図、（Ｄ）はヘッダ取付金具の仮止め状態を示す正面図、図８はヘッダ取付工程を示し、（Ａ）はヘッダ取付金具のボルト孔コーティング状態を示す斜視図、（Ｂ）はヘッダ取付状態を示す斜視図、（Ｃ）は供給管挿入状態を示す斜視図、（Ｄ）は立上管接続状態を示す斜視図、（Ｅ）は保温材貼付状態を示す斜視図、図９はパイプシャフトの変形例を示し、（Ａ）は第1変形例を示す斜視図、（Ｂ）は第２変形例を示す斜視図、（Ｃ）は第３変形例を示す斜視図、（Ｄ）は第４変形例を示す斜視図である。
【００１６】
ユニット建物１０は、工場生産される建物ユニットを建築現場に輸送し、図１に示す如く、建築現場に予め設けてある基礎の上に複数の下階建物ユニット１１を据付け、それらの下階建物ユニット１１の上に上階建物ユニット１２を搭載して構築される。このとき、ユニット建物１０を構成する各建物ユニット、例えば下階建物ユニット１１にはキッチンのための給水器具２１及びこれに接続された給水管２１Ａと給湯器具２２及びこれに接続された給湯管２２Ａが、上階建物ユニット１２には洗面台、浴槽、洗い場、ランドリーのための給水器具３１、３２、３３、３４及びこれらに接続された給水管３１Ａ、３２Ａ、３３Ａ、３４Ａ（供給管）と給湯器具３５、３６、３７、３８及びこれらに接続された給湯管３５Ａ、３６Ａ、３７Ａ、３８Ａ（供給管）が工場生産段階で装備されている（図２）。尚、上階建物ユニット１２は、洗面台、浴槽、洗い場、ランドリーのための各排水受口３９Ａ〜３９Ｄを備えた排水管３９も工場生産段階で装備されている（図２）。
【００１７】
また、ユニット建物１０では、下階建物ユニット１１の床下に下階用給水ヘッダ（下階用ヘッダ）４１と下階用給湯ヘッダ（下階用ヘッダ）４２が設置される。下階用給水ヘッダ４１と下階用給湯ヘッダ４２は、建築現場で下階建物ユニット１１の据付前に基礎の上に設置されるが、工場生産段階で下階建物ユニット１１に組付けられても良い。下階用給水ヘッダ４１は、１個の流入口（不図示）と複数の分岐口（不図示）を有し、水道元栓（水道メータ）１３がその流入口に接続され、下階建物ユニット１１の給水器具２１に接続されている給水管２１Ａがその分岐口の１つに接続される。下階用給湯ヘッダ４２は、１個の流入口（不図示）と複数の分岐口（不図示）を有し、給湯機１４がその流入口に接続され、下階建物ユニット１１の給湯器具２２に接続されている給湯管２２Ａがその分岐口の１つに接続される。
【００１８】
また、ユニット建物１０では、下階建物ユニット１１の外壁１１Ａの外面から、上階建物ユニット１２の外壁１２Ａの外面に沿って立上がる屋外パイプシャフト５０が設置される。そして、屋外パイプシャフト５０の内部で、上階建物ユニット１２の外壁１２Ａの外面に上階用給水ヘッダ（上階用ヘッダ）５１と上階用給湯ヘッダ（上階用ヘッダ）６１が後述する構造により取付けられている。パイプシャフト５０と上階用給水ヘッダ５１と上階給湯ヘッダ６１は、下階建物ユニット１１、上階建物ユニット１２に建築現場で取付けられるが、工場生産段階で下階建物ユニット１１（パイプシャフト５０の下階対応部分）、上階建物ユニット１２（パイプシャフト５０の上階対応部分とヘッダ５１、６１）に取付けられても良い。
【００１９】
上階用給水ヘッダ５１は、図２〜図４に示す如く、１個の流入口５２と複数の分岐口５３〜５６を有し、下階用給水ヘッダ４１の分岐口の１つに接続された立上管５２Ａがその流入口５２に接続され、上階建物ユニット１２の給水器具３１〜３４に接続されている給水管３１Ａ〜３４Ａがそれらの分岐口５３〜５６に接続される。このとき、給水管３１Ａ〜３４Ａは上階用給水ヘッダ５１に接続されるパイプシャフト５０の内部から、外壁１２Ａを貫通して上階建物ユニット１２の内部へと延設される。
【００２０】
上階用給湯ヘッダ６１も、図２〜図４に示す如く、１個の流入口６２と複数の分岐口６３〜６６を有し、下階用給湯ヘッダ４２の分岐口の１つに接続された立上管６２Ａがその流入口６２に接続され、上階建物ユニット１２の給湯器具３５〜３８に接続されている給湯管３５Ａ〜３８Ａがそれらの分岐口６３〜６６に接続される。このとき、給湯管３５Ａ〜３８Ａは上階用給湯ヘッダ６１に接続されるパイプシャフト５０の内部から、外壁１２Ａを貫通し、上階建物ユニット１２の内部へと延設される。
【００２１】
パイプシャフト５０の内部には、上階建物ユニット１２の外壁１２Ａの外面に沿う排水管３９Ａも設置され、上階建物ユニット１２の内部に前述の如くに装備されている排水管３９が外壁１２Ａを貫通しこの排水管３９Ａに接続される。
【００２２】
パイプシャフト５０は、カバー５０Ａを着脱可能とすることにより、上階用給水ヘッダ５１とそれに接続される立上管５２Ａ、給水管３１Ａ〜３４Ａ、上階用給湯ヘッダ６１とそれに接続される立上管６２Ａ、給湯管３５Ａ〜３８Ａを点検するための点検口を形成可能としている（図５、図６）。
【００２３】
また、本実施形態で用いられる配管類は保温材で被覆されて用いられる。例えば、給水管３１Ａ〜３４Ａ、給湯管３５Ａ〜３８Ａ、立上管５２Ａ、６２Ａのそれぞれは、保温材で被覆された架橋ポリエチレン管を採用できる。また、上階用給水ヘッダ５１、上階用給湯ヘッダ６１も保温材で被覆される。また、パイプシャフト５０の内部で、上階用給水ヘッダ５１、上階用給湯ヘッダ６１の周囲に保温材を充填しても良い。
【００２４】
そして、架橋ポリエチレン管からなる給水管３１Ａ〜３４Ａ、給湯管３５Ａ〜３８Ａは、耐水圧性に優れ、且つ屈曲容易であって配管性に優れる。パイプシャフト５０の内部で、上階用給水ヘッダ５１、上階用給湯ヘッダ６１と、給水管３１Ａ〜３４Ａ、給湯管３５Ａ〜３８Ａの外壁１２Ａを貫通する位置とはある程度距離を保つ（ヘッダ５１、６１が床下よりある程度の高さにある）方が、給水管３１Ａ〜３４Ａ、給湯管３５Ａ〜３８Ａの屈曲を伴う配管には有利である。
【００２５】
パイプシャフト５０の内部における上階用給水ヘッダ５１、上階用給湯ヘッダ６１の取付構造（図５、図６）は以下の如くになされる。
(1) 上階用給水ヘッダ５１、上階用給湯ヘッダ６１のための、合板と木桟からなる取付補強板７１を製造し（図７（Ａ））、外壁１２Ａの裏面に取付補強板７１の木桟を釘打ち固定する（図７（Ｂ））。
【００２６】
(2) 上階用給水ヘッダ５１、上階用給湯ヘッダ６１の取付ブラケット７２の取付孔を示した穴位置台紙７３を取付補強板７１に合わせてあてがい、穴位置台紙７３の穴位置に従ってドリルで取付補強板７１、外壁１２Ａに穴を開ける（図７（Ｃ））。
【００２７】
(3) 上階用給水ヘッダ５１、上階用給湯ヘッダ６１のためのヘッダ取付金具７４、７５を取付補強板７１に設けた上述(2) の穴位置に合わせて、テープ７６で仮止めする（図７（Ｄ））。このとき、ヘッダ取付金具７４、７５のボルト７４Ａ、７５Ａが外壁１２Ａ、取付補強板７１の上記(2) の穴に挿通される。
【００２８】
(4) 外壁１２Ａの外面側で、上述(3) のボルト７４Ａ、７５Ａが挿通された外壁１２Ａの穴にシール材をコーキングする（図８（Ａ））。
【００２９】
(5) 上階用給水ヘッダ５１、上階用給湯ヘッダ６１の取付ブラケット７２をヘッダ取付金具７４、７５のボルト７４Ａ、７５Ａに固定する（図８（Ｂ））。
【００３０】
(6) 外壁１２Ａに給水管３１Ａ〜３４Ａ、給湯管３５Ａ〜３８Ａのための孔７７を管１本に対して１個開け、それら給水管３１Ａ〜３４Ａ、給湯管３５Ａ〜３８Ａを外壁１２Ａに通してパイプシャフト５０の内部に導入する（図８（Ｃ））。
【００３１】
(7) パイプシャフト５０の内部で、給水管３１Ａ〜３４Ａ、給湯管３５Ａ〜３８Ａのそれぞれを、上階用給水ヘッダ５１の分岐口５３〜５６、上階用給湯ヘッダ６１の分岐口６３〜６６に接続する。同時に、給水管３１Ａ〜３４Ａ、給湯管３５Ａ〜３８Ａが挿通された孔７７をシール材でコーキングする（図８（Ｄ））。
【００３２】
(8) 上階用給水ヘッダ５１の分岐口５３〜５６、上階用給湯ヘッダ６１の分岐口６３〜６６の、給水管３１Ａ〜３４Ａ、給湯管３５Ａ〜３８Ａの接続部分まわりを保温材７８で覆う（図８（Ｅ））。
【００３３】
従って、本実施形態によれば以下の作用がある。
▲１▼上階用給水ヘッダ５１及び上階用給湯ヘッダ６１が下階建物ユニット１１の壁面から上階建物ユニット１２の壁面に沿って立上がるパイプシャフト５０の内部で、上階建物ユニット１２の壁面に取付けられる。パイプシャフト５０は、建物ユニットの床下や壁内に設けられるものでなく、壁面上に設けられるものであるから、上階用給水ヘッダ５１及び上階用給湯ヘッダ６１の設置に必要十分な設置スペースを容易に確保でき、設置性を向上できる。
【００３４】
▲２▼下階側から上階用給水ヘッダ５１及び上階用給湯ヘッダ６１の流入口５２、６２に接続される立上管５２Ａ、６２Ａをパイプシャフト５０の内部に延設するものとしたから、上階用給水ヘッダ５１及び上階用給湯ヘッダ６１への配管経路の取り回しを単純化し、配管性を向上できる。また、下階側から上階側に立上げられる立上管５２Ａ、６２Ａの本数をそれぞれ唯１本に集約でき、且つ配管経路も短くでき、配管性を向上できる。
【００３５】
▲３▼パイプシャフト５０の屋外空間に臨んで設けられることとなる点検口を開けるだけで、上階用給水ヘッダ５１及び上階用給湯ヘッダ６１以下の配管類を点検でき、メンテナンス性を向上できる。
【００３６】
▲４▼屋外パイプシャフト５０の内部に上階用給水ヘッダ５１及び上階用給湯ヘッダ６１以下の配管類を設置することにより、上階用給水ヘッダ５１及び上階用給湯ヘッダ６１からの漏水によっても屋内が濡れることを回避できる。
【００３７】
図９（Ａ）はパイプシャフト５０の変形例に係るパイプシャフト１０１であり、パイプシャフト１０１は箱体からなり、パイプシャフト１０１の内部に上階用給水ヘッダ５１（又は上階用給湯ヘッダ６１）を収容して固定配置し、上階用給水ヘッダ５１（又は上階用給湯ヘッダ６１）の流入口５２をパイプシャフト１０１の端面に、分岐口５３〜５６をパイプシャフト１０１の側面に開口し、上階用給水ヘッダ５１（又は上階用給湯ヘッダ６１）の周囲に保温材を充填したものである。パイプシャフト１０１は、上端面と下端面に取付部１０１Ａを備え、上階建物ユニット１２の外壁１２Ａにボルト等により固定される。
【００３８】
尚、上階建物ユニット１２の外壁１２Ａには、上階用給水ヘッダ５１を収容したパイプシャフト１０１と、上階用給湯ヘッダ６１を収容したパイプシャフト１０１とを並置して用いることができる。但し、パイプシャフト１０１は、上階用給水ヘッダ５１と上階用給湯ヘッダ６１をともに収容して固定配置しても良い。
【００３９】
図９（Ｂ）〜（Ｃ）のパイプシャフト１０２〜１０４が、上述のパイプシャフト１０１と異なる点は、それらの取付部１０２Ａ〜１０４Ａを凹凸係合部とし、これらの取付部１０２Ａ〜１０４Ａを上階建物ユニット１２の外壁１２Ａに設けた凹凸状固定具に凹凸係合してワンタッチ操作で着脱可能としたことにある。
【００４０】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、パイプシャフトは下階建物ユニットと上階建物ユニットの内壁面に沿って設けた屋内パイプシャフトであっても良い。
【００４１】
【発明の効果】
以上のように本発明によれば、２階建て以上のユニット建物で上階用ヘッダを装備するに際し、分岐継手の設置性と、ヘッダへの配管性を向上することができる。
【図面の簡単な説明】
【図１】図１はユニット建物を示す模式断面図である。
【図２】図２はユニット建物の要部を示す断面図である。
【図３】図３はパイプシャフトを示す拡大断面図である。
【図４】図４は図３のIV-IV 線に沿う側面図である。
【図５】図５はヘッダ取付構造を示す断面図である。
【図６】図６は図５のVI-VI 線に沿う平面図である。
【図７】図７はヘッダ取付工程を示し、（Ａ）は取付補強板を示す斜視図、（Ｂ）は取付補強板の取付状態を示す斜視図、（Ｃ）は穴位置台紙の使用状態を示す斜視図、（Ｄ）はヘッダ取付金具の仮止め状態を示す正面図である。
【図８】図８はヘッダ取付工程を示し、（Ａ）はヘッダ取付金具のボルト孔コーティング状態を示す斜視図、（Ｂ）はヘッダ取付状態を示す斜視図、（Ｃ）は供給管挿入状態を示す斜視図、（Ｄ）は立上管接続状態を示す斜視図、（Ｅ）は保温材貼付状態を示す斜視図である。
【図９】図９はパイプシャフトの変形例を示し、（Ａ）は第1変形例を示す斜視図、（Ｂ）は第２変形例を示す斜視図、（Ｃ）は第３変形例を示す斜視図、（Ｄ）は第４変形例を示す斜視図である。
【符号の説明】
１０  ユニット建物
１１  下階建物ユニット
１２  上階建物ユニット
１２Ａ  外壁
３１Ａ〜３４Ａ  給水管（供給管）
３５Ａ〜３８Ａ  給湯管（供給管）
５０、１０１〜１０４  パイプシャフト
５１  上階用給水ヘッダ（上階用ヘッダ）
６１  上階用給湯ヘッダ（上階用ヘッダ）
５２、６２  流入口
５２Ａ、６２Ａ  立上管
５３〜５６、６３〜６６  分岐口
【図１】
0004568403.tif 000002
【図２】
0004568403.tif 000003
【図３】
0004568403.tif 000004
【図４】
0004568403.tif 000005
【図５】
0004568403.tif 000006
【図６】
0004568403.tif 000007
【図７】
0004568403.tif 000008
【図８】
0004568403.tif 000009
【図９】
0004568403.tif 000010